(57)【要約】【課題】原稿に示されている画像における一部分の印刷時寸法について利用者が所望値を有している場合において、変倍処理の条件設定を簡易且つ正確に行うことの可能な画像処理装置を提供する。【解決手段】制御装置６０は、利用者からの指示入力に応じて、表示装置５９ａにプレビュー表示されている画像上においてポイント１３・１５を設定する。つぎに、制御装置６０は、印刷出力される画像におけるポイント１３・１５の距離を示した出力時寸法を、利用者からの指示入力に応じて設定する。さらに、制御装置６０は、利用者に設定される出力時寸法に基づいて画像データに対して変倍処理を行う。【選択図】図６（ｄ）
2011171841.tif 000002
【特許請求の範囲】
【請求項１】
画像データに基づいて画像を印刷する印刷処理が行われる前に、前記画像データに基づいて前記画像を表示装置にプレビュー表示させる画像処理装置において、
利用者からの指示入力に応じて、前記表示装置にプレビュー表示されている前記画像上において少なくとも２つのポイントを設定するポイント設定部と、
前記少なくとも２つのポイントにより所定規則に従って定められる前記画像上の所定位置間の距離であって、前記画像データに対して変倍処理を行ってから印刷出力される画像における前記所定位置間の距離である印刷時寸法を、利用者からの指示入力に応じて設定する寸法設定部と、
前記寸法設定部に設定される印刷時寸法に基づいて前記画像データに対して変倍処理を行う変倍処理部とを備えたことを特徴とする画像処理装置。
【請求項２】
前記所定規則は、前記２つのポイント間の距離を前記印刷時寸法とする規則であることを特徴とする請求項１に記載の画像処理装置。
【請求項３】
前記寸法設定部は、前記印刷時寸法を数値で利用者に入力させるようになっていることを特徴とする請求項１または２に記載の画像処理装置。
【請求項４】
利用者からの指示入力に応じて、前記ポイント設定部にて設定された２つのポイントのうち少なくとも一方の位置調整を行う位置調整部を有し、
前記寸法設定部は、前記画像データおよび前記ポイントの位置に基づいて当該位置に応じた印刷時寸法を表示装置に表示させ、且つ、前記位置調整に応じて表示装置に表示させる印刷時寸法を調整するようになっており、
前記変倍処理部は、確定指示を利用者より受付けた時点で前記表示装置に表示されている印刷時寸法に基づいて前記変倍処理を行うようになっていることを特徴とする請求項２に記載の画像処理装置。
【請求項５】
前記ポイント設定部は、利用者からの指示入力に応じて、前記表示装置にプレビュー表示されている画像上に、第１および第２ポイントを設定し、
前記所定規則は、第１および第２ポイントを前記画像の縦方向に平行に移動させて前記画像の横方向に平行な一つの辺に到達させた場合における第１および第２ポイント間の距離に相当する第１距離と、第１および第２ポイントを前記画像の横方向に平行に移動させて前記画像の縦方向に平行な一つの辺に到達させた場合における第１および第２ポイント間の距離に相当する第２距離とを前記印刷時寸法とする規則であり、
前記変倍処理部は、前記変倍処理における画像の横方向の変倍率を第１距離に応じて定め、前記変倍処理における画像の縦方向の変倍率を第２距離に応じて定めるようになっていることを特徴とする請求項１に記載の画像処理装置。
【請求項６】
前記ポイント設定部は、利用者からの指示入力に応じて、前記表示装置にプレビュー表示されている画像上に、第３ポイント、第４ポイント、第５ポイントを指定し、
前記所定規則は、第３および第４ポイントを画像の縦方向に平行に移動させて前記画像の横方向に平行な一つの辺に到達させた場合における第３および第４ポイント間の距離に相当する第３距離と、第３および第５ポイントを画像の横方向に平行に移動させて画像の縦方向に平行な一つの辺に到達させた場合における第３および第５ポイント間の距離に相当する第４距離とを前記印刷時寸法とする規則であり、
前記変倍処理部は、前記変倍処理における画像の横方向の変倍率を第３距離に応じて定め、前記変倍処理における画像の縦方向の変倍率を第４距離に応じて定めるようになっていることを特徴とする請求項１に記載の画像処理装置。
【請求項７】
前記ポイント設定部は、利用者からの指示入力に応じて、前記表示装置にプレビュー表示されている画像上に、第６ポイント、第７ポイント、第８ポイント、第９ポイントを指定し、
前記所定規則は、第６および第７ポイントを画像の縦方向に平行に移動させて画像の横方向に平行な一つの辺に到達させた場合における第６および第７ポイント間の距離に相当する第５距離と、第８および第９ポイントを画像の横方向に平行に移動させて画像の縦方向に平行な一つの辺に到達させた場合における第８および第９ポイント間の距離に相当する第６距離とを前記印刷時寸法とする規則であり、
前記変倍処理部は、前記変倍処理における画像の横方向の変倍率を第５距離に応じて定め、前記変倍処理における画像の縦方向の変倍率を第６距離に応じて定めるようになっていることを特徴とする請求項１に記載の画像処理装置。
【請求項８】
利用者からの指示入力に応じて前記印刷時寸法が設定された場合、設定された印刷時寸法に応じた画像を表示装置にプレビュー表示させる表示制御部を有していることを特徴とする請求項１から７のいずれか１項に記載の画像処理装置。
【請求項９】
前記変倍処理後の画像データに基づいて印刷を行う場合に画像が印刷可能範囲からはみださないような印刷用紙サイズを設定する第１用紙サイズ設定部を有することを特徴とする請求項１から８のいずれか１項に記載の画像処理装置。
【請求項１０】
利用者からの指示入力に応じて、前記変倍処理後の画像データに基づいて印刷を行う場合の印刷用紙サイズを設定する第２用紙サイズ設定部を有することを特徴とする請求項１から８のいずれか１項に記載の画像処理装置。
【請求項１１】
利用者からの指示入力に応じて、前記印刷時寸法の単位を変更する単位変更部を有することを特徴とする請求項１から１０のいずれか１項に記載の画像処理装置。
【請求項１２】
請求項１から１１のいずれか１項に記載の画像処理装置と、前記変倍処理部にて変倍処理の施された画像データに基づいて印刷処理を行う印刷装置とを有することを特徴とする画像形成装置。
【請求項１３】
請求項１から１２のいずれか１項に記載の画像処理装置を制御する制御プログラムであって、コンピュータを前記画像処理装置の各部として動作させる制御プログラム。
【請求項１４】
請求項１３に記載の制御プログラムを記録したコンピュータ読み取り可能な記録媒体。
【発明の詳細な説明】
【技術分野】
【０００１】
本発明は、印刷処理される画像の画像データを取り扱う画像処理装置、この画像処理装置を備える画像形成装置に関する。
【背景技術】
【０００２】
近年、複写機や複合機などの画像形成装置において、利用者による印刷条件の設定機能が高度化されている。印刷条件とは、例えば、印刷画質（濃度）、色合い、変倍処理の倍率，編集処理の編集条件（綴じ代の有無等）を意味する。さらに、画像形成装置には、印刷処理の実行前に、印刷対象の画像を表示装置にプレビュー表示させるものも存在する（特許文献１参照）。このような画像形成装置によれば、利用者は、設定した印刷条件が適正なものか否かを印刷処理前に確認できる。
【先行技術文献】
【特許文献】
【０００３】
【特許文献１】特開２００７−３６８０９号公報
【特許文献２】特開平４−１９１７５８号公報
【発明の概要】
【発明が解決しようとする課題】
【０００４】
また、特許文献２には、原稿サイズとコピーサイズ（印刷画像全体の寸法）とを利用者に入力させ、原稿サイズおよびコピーサイズに基づいて倍率を設定する手法が示されている。しかし、原稿に示されている画像全体に対する印刷時寸法ではなく、原稿に示されている画像における所望の一部分の印刷時寸法について利用者が所望値を有している場合、特許文献２の手法では、当該所望値をそのまま入力できないため、当該所望値から前記コピーサイズを利用者自身が計算しなければならず、変倍処理の条件設定が容易でないという問題がある。
【０００５】
本発明は、前記問題に鑑みてなされたものであり、原稿に示されている画像における一部分の印刷時寸法について利用者が所望値を有している場合において、変倍処理の条件設定を簡易且つ正確に行うことの可能な画像処理装置を提供することを目的とする。
【課題を解決するための手段】
【０００６】
上記の課題を解決するために、本発明は、画像データに基づいて画像を印刷する印刷処理が行われる前に、前記画像データに基づいて前記画像を表示装置にプレビュー表示させる画像処理装置において、利用者からの指示入力に応じて、前記表示装置にプレビュー表示されている前記画像上において少なくとも２つのポイントを設定するポイント設定部と、前記少なくとも２つのポイントにより所定規則に従って定められる前記画像上の所定位置間の距離であって、前記画像データに対して変倍処理を行ってから印刷出力される画像における前記所定位置間の距離である印刷時寸法を、利用者からの指示入力に応じて設定する寸法設定部と、前記寸法設定部に設定される印刷時寸法に基づいて前記画像データに対して変倍処理を行う変倍処理部とを備えたことを特徴とする。
【０００７】
本発明の構成によれば、前記印刷時寸法が利用者の所望値になるように、前記画像の画像データに対して変倍処理を行うことができる。それゆえ、印刷出力される画像の一部分の寸法について利用者が所望値を決めているようなケースにおいて、簡易且つ正確に変倍処理の処理条件を設定することができるという効果を奏する。
【０００８】
また、本発明の画像処理装置において、前記所定規則は、前記２つのポイント間の距離を前記印刷時寸法とする規則であってもよい。
【０００９】
さらに、本発明の画像処理装置において、前記寸法設定部は、前記印刷時寸法を数値で利用者に入力させるようになっていてもよい。これにより、利用者は前記印刷時寸法の設定を容易に行えるという効果を奏する。
【００１０】
また、本発明の画像処理装置は、前記構成に加えて、利用者からの指示入力に応じて、前記ポイント設定部にて設定された２つのポイントのうち少なくとも一方の位置調整を行う位置調整部を有し、前記寸法設定部は、前記画像データおよび前記ポイントの位置に基づいて当該位置に応じた印刷時寸法を表示装置に表示させ、且つ、前記位置調整に応じて表示装置に表示させる印刷時寸法を調整するようになっており、前記変倍処理部は、確定指示を利用者より受付けた時点で前記表示装置に表示されている印刷時寸法に基づいて前記変倍処理を行うようになっていてもよい。この構成によれば、プレビュー表示されている画像１２に２つのポイントを設定するだけで前記印刷時寸法が表示され、さらに、ポイントの位置を調整（変更）すると、当該調整に応じて、表示されている印刷時寸法が調整（変更）されるようになっている。それゆえ、前記印刷時寸法の所望値を示す数値をキーボード操作等での入力を行う必要なく、前記所望値を簡単に設定できる。
【００１１】
さらに、本発明の画像処理装置において、前記ポイント設定部は、利用者からの指示入力に応じて、前記表示装置にプレビュー表示されている画像上に、第１および第２ポイントを設定し、前記所定規則は、第１および第２ポイントを前記画像の縦方向に平行に移動させて前記画像の横方向に平行な一つの辺に到達させた場合における第１および第２ポイント間の距離に相当する第１距離と、第１および第２ポイントを前記画像の横方向に平行に移動させて前記画像の縦方向に平行な一つの辺に到達させた場合における第１および第２ポイント間の距離に相当する第２距離とを前記印刷時寸法とする規則であり、前記変倍処理部は、前記変倍処理における画像の横方向の変倍率を第１距離に応じて定め、前記変倍処理における画像の縦方向の変倍率を第２距離に応じて定めるようになっていてもよい。この構成によれば、印刷される画像上の任意の一部分の横寸法（第１距離）の所望値と縦寸法（第２距離）の所望値とを別々に入力でき、入力した各所望値を満たすように縦方向と横方向とで各々独立に変倍率が設定される。それゆえ、印刷される画像上の任意の一部分について利用者の指定した縦寸法の所望値と横寸法の所望値とが同時に満たされ、且つ、横方向と縦方向とで変倍率が異なるような変倍処理を行うことが可能になるという効果を奏する。
【００１２】
また、本発明の画像処理装置において、前記ポイント設定部は、利用者からの指示入力に応じて、前記表示装置にプレビュー表示されている画像上に、第３ポイント、第４ポイント、第５ポイントを指定し、前記所定規則は、第３および第４ポイントを画像の縦方向に平行に移動させて前記画像の横方向に平行な一つの辺に到達させた場合における第３および第４ポイント間の距離に相当する第３距離と、第３および第５ポイントを画像の横方向に平行に移動させて画像の縦方向に平行な一つの辺に到達させた場合における第３および第５ポイント間の距離に相当する第４距離とを前記印刷時寸法とする規則であり、前記変倍処理部は、前記変倍処理における画像の横方向の変倍率を第３距離に応じて定め、前記変倍処理における画像の縦方向の変倍率を第４距離に応じて定めるようになっていてもよい。これにより、印刷される画像上の任意の一部分の横寸法の所望値と縦寸法の所望値とを別々に入力でき、入力した各所望値を満たすように縦方向と横方向とで各々独立に変倍率が設定される。それゆえ、印刷される画像上の任意の一部分について利用者の指定した縦寸法の所望値と横寸法の所望値とが同時に満たされ、且つ、横方向と縦方向とで変倍率が異なるような変倍処理を行うことが可能になるという効果を奏する。
【００１３】
さらに、本発明の画像処理装置において、前記ポイント設定部は、利用者からの指示入力に応じて、前記表示装置にプレビュー表示されている画像上に、第６ポイント、第７ポイント、第８ポイント、第９ポイントを指定し、前記所定規則は、第６および第７ポイントを画像の縦方向に平行に移動させて画像の横方向に平行な一つの辺に到達させた場合における第６および第７ポイント間の距離に相当する第５距離と、第８および第９ポイントを画像の横方向に平行に移動させて画像の縦方向に平行な一つの辺に到達させた場合における第８および第９ポイント間の距離に相当する第６距離とを前記印刷時寸法とする規則であり、前記変倍処理部は、前記変倍処理における画像の横方向の変倍率を第５距離に応じて定め、前記変倍処理における画像の縦方向の変倍率を第６距離に応じて定めるようになっていてもよい。これにより、印刷される画像上の任意の一部分の横寸法の所望値と縦寸法の所望値とを別々に入力でき、入力した各所望値を満たすように縦方向と横方向とで各々独立に変倍率が設定される。それゆえ、印刷される画像上の任意の一部分について利用者の指定した縦寸法の所望値と横寸法の所望値とが同時に満たされ、且つ、横方向と縦方向とで変倍率が異なるような変倍処理を行うことが可能になるという効果を奏する。
【００１４】
また、本発明の画像処理装置は、前記構成に加えて、利用者からの指示入力に応じて前記印刷時寸法が設定された場合、設定された印刷時寸法に応じた画像を表示装置にプレビュー表示させる表示制御部を有していてもよい。前記構成によれば、設定した印刷時寸法に基づいて変倍処理を行った上で印刷処理を行う場合の出力画像のプレビューを確認できるため、設定した印刷時寸法の適否を印刷前に確認でき、不適である場合に無駄に印刷処理が行われることを抑制できるという効果を奏する。
【００１５】
さらに、本発明の画像処理装置は、前記構成に加えて、前記変倍処理後の画像データに基づいて印刷を行う場合に画像が印刷可能範囲からはみださないような印刷用紙サイズを設定する第１用紙サイズ設定部を有していてもよい。前記構成によれば、印刷される画像に対して変倍処理が行われても、変倍処理後の画像が印刷可能範囲からはみださないような用紙が自動選択されるため、画像が一部欠落した印刷が行われるといった事態を抑制できるという効果を奏する。
【００１６】
また、本発明の画像処理装置は、前記構成に加えて、利用者からの指示入力に応じて、前記変倍処理後の画像データに基づいて印刷を行う場合の印刷用紙サイズを設定する第２用紙サイズ設定部を有していてもよい。前記構成によれば、前記変倍処理が縮小処理であって印刷用紙サイズを小さくしても充分に画像が印刷可能範囲におさまるような場合、利用者からの指示入力に応じて印刷用紙サイズを小さくすることによって、用紙に対するコストを節約でき、無駄な資源消費を抑制できるという効果を奏する。
【００１７】
さらに、本発明の画像処理装置は、前記構成に加えて、利用者からの指示入力に応じて、前記印刷時寸法の単位を変更する単位変更部を有していてもよい。前記構成によれば、所定寸法の単位を変更できるため、利用者にとって使い勝手が良いというメリットがある。なお、単位としては、メートル（ミリメートル），インチ等が上げられる。
【発明の効果】
【００１８】
本発明によれば、印刷出力される画像の一部分の寸法について利用者が所望値を決めているようなケースにおいて、簡易且つ正確に変倍処理の処理条件を設定することができるという効果を奏する。
【図面の簡単な説明】
【００１９】
【図１】本実施形態の複合機を有する画像処理システムを示す模式図である。
【図２】図１の複合機のハードウェア構成を示すブロック図である。
【図３】図１の複合機の操作パネルを模式的に示す図である。
【図４】コピー処理時における複合機の処理の流れを示すフローチャートである。
【図５（ａ）】表示装置に表示される操作画面を示した図である。
【図５（ｂ）】コピー処理時においてスキャン後且つ印刷前に表示装置に表示されるプレビュー確認画面を示した図である。
【図６（ａ）】実施例１のプレビュー確認画面を示した図である。
【図６（ｂ）】実施例１のプレビュー確認画面であって、図６（ａ）の画面の次に映し出される画面を示した図である。
【図６（ｃ）】実施例１のプレビュー確認画面であって、図６（ｂ）の画面の次に映し出される画面を示した図である。
【図６（ｄ）】実施例１のプレビュー確認画面であって、図６（ｃ）の画面の次に映し出される画面を示した図である。
【図６（ｅ）】実施例１のプレビュー確認画面であって、図６（ｄ）の画面の次に映し出される画面を示した図である。
【図６（ｆ）】実施例１のプレビュー確認画面であって、図６（ｅ）の画面の次に映し出される画面を示した図である。
【図７（ａ）】実施例２のプレビュー確認画面を示した図である。
【図７（ｂ）】実施例２のプレビュー確認画面であって、図７（ａ）の画面の次に映し出される画面を示した図である。
【図７（ｃ）】実施例２のプレビュー確認画面であって、図７（ｂ）の画面の次に映し出される画面を示した図である。
【図７（ｄ）】実施例２のプレビュー確認画面であって、図７（ｃ）の画面の次に映し出される画面を示した図である。
【図７（ｅ）】実施例２のプレビュー確認画面であって、図７（ｄ）の画面の次に映し出される画面を示した図である。
【図７（ｆ）】実施例２のプレビュー確認画面であって、図７（ｅ）の画面の次に映し出される画面を示した図である。
【図８（ａ）】実施例３のプレビュー確認画面を示した図である。
【図８（ｂ）】実施例３のプレビュー確認画面であって、図８（ａ）の画面の次に映し出される画面を示した図である。
【図８（ｃ）】実施例３のプレビュー確認画面であって、図８（ｂ）の画面の次に映し出される画面を示した図である。
【図８（ｄ）】実施例３のプレビュー確認画面であって、図８（ｃ）の画面の次に映し出される画面を示した図である。
【図８（ｅ）】実施例３のプレビュー確認画面であって、図８（ｄ）の画面の次に映し出される画面を示した図である。
【図８（ｆ）】実施例３のプレビュー確認画面であって、図８（ｅ）の画面の次に映し出される画面を示した図である。
【図９（ａ）】実施例４のプレビュー確認画面を示した図である。
【図９（ｂ）】実施例４のプレビュー確認画面であって、図９（ａ）の画面の次に映し出される画面を示した図である。
【図９（ｃ）】実施例４のプレビュー確認画面であって、図９（ｂ）の画面の次に映し出される画面を示した図である。
【図９（ｄ）】実施例４のプレビュー確認画面であって、図９（ｃ）の画面の次に映し出される画面を示した図である。
【図９（ｅ）】実施例４のプレビュー確認画面であって、図９（ｄ）の画面の次に映し出される画面を示した図である。
【図９（ｆ）】実施例４のプレビュー確認画面であって、図９（ｅ）の画面の次に映し出される画面を示した図である。
【図９（ｇ）】実施例４のプレビュー確認画面であって、図９（ｆ）の画面の次に映し出される画面を示した図である。
【図１０】変倍方向を指定するためのボタンを示した図である。
【図１１】用紙サイズ指定ボタンの表示されたプレビュー確認画面を示す図である。
【図１２】変倍領域指定機能を実行している際のプレビュー確認画面を示す図である。
【図１３（ａ）】出力時寸法の単位がミリメートルに設定されている場合のプレビュー確認画面を示す図である。
【図１３（ｂ）】出力時寸法の単位がインチに設定されている場合のプレビュー確認画面を示す図である。
【発明を実施するための形態】
【００２０】
以下、本発明の実施形態について詳細に説明する。図１は、本実施形態に係るデジタル複合機およびデジタル複合機に接続される外部機器によって構築される画像処理システムを示す模式図である。
【００２１】
デジタル複合機（以下では単に「複合機」と称す）１００は、プリント処理、コピー処理（複写処理）、ファクシミリ送信処理、ファクシミリ受信処理、イメージ送信処理等を実行可能な画像形成装置である。複合機１００には、ＬＡＮ（local Area Network）６００を介してＰＣ２００が接続されている。また、複合機１００には、インターネット７００、ゲートウェイ（不図示）およびＬＡＮ６００を介してＰＣ３００およびＦＡＸ４００が接続されている。ＰＣ２００・３００は汎用のパーソナルコンピュータである。ＦＡＸ４００は、画像データを電子メールに添付して送信するインターネットファクシミリである。さらに、複合機１００には、公衆電話回線８００を介してＦＡＸ５００が接続されている。ＦＡＸ５００は、公衆電話回線８００を用いて画像信号を送信するファクシミリ装置である。
【００２２】
図２は、複合機１００のハードウェア構成を示すブロック図である。複合機１００は、図２に示すように、スキャナ５１、プリンタ５２、メモリ部５３、記憶装置５４、圧縮伸張部５５、フォーマット変換部５６、モデム５７、ＬＡＮ制御部５８、操作パネル５９、制御装置６０を有する。
【００２３】
スキャナ５１は、原稿を読み取って画像データを生成する画像読取手段である。より具体的に説明すると、スキャナ５１は、ＣＣＤ（Charge Coupled Device）からなるラインセンサを有し、原稿から反射してきた光を電気信号に変換し、この電気信号から原稿の画像を示した画像データを生成するものである。
【００２４】
プリンタ５２は、入力した画像データの画像を用紙に印刷（出力）する電子写真方式のカラー印刷機である。なお、プリンタ５２は、電子写真方式に限定されるものではなく、インクジェット方式であっても構わない。
【００２５】
メモリ部５３は、複合機１００にて扱われる制御プログラムやＦＡＸ送信に使用される相手先情報が記憶されている不揮発性メモリ、バックアップ用のメモリ、各種データを一時的に格納するバッファ等を含む。記憶装置５４は、複合機１００にて扱われる画像データや複合機１００にて処理されるジョブのデータを一旦記憶するためのハードディスク装置である。
【００２６】
圧縮伸張部５５は、画像データの符号化、および、符号化されている画像データの復号化を行う。すなわち、圧縮伸張部５５は、画像信号を符号化圧縮するとともに、符号化圧縮されている画像情報を元の画像信号に復号化（伸張）するものである。なお、圧縮伸張部５５は、ファクシミリ通信で一般に使用されている、ＭＨ(Modified Hufman)、ＭＲ(Modified READ)およびＭＭＲ(Modified Modified READ)などの符号化方式を用いて、符号化、復号化を行う。また、符号化圧縮は原稿１ページ単位で行われる。
【００２７】
フォーマット変換部５６は、圧縮伸張部５５にて符号化された画像データを所定の形式のファイルに変換するブロックである。モデム５７は、公衆電話回線８００を介したファクシミリの通信を行うものである。また、図示しないＮＣＵ（Network Control Unit）が、通信時にモデム５７と公衆電話回線８００とを接続し、非通信時にはモデム５７と公衆電話回線８００とを切断するようになっている。
【００２８】
ＬＡＮ制御部５８は、ＬＡＮ６００に接続され、インターネット経由による電子メールデータの通信及びインターネットＦＡＸの通信を行うブロックである。なお、インターネットＦＡＸを利用した通信では、スキャナ５１によって生成された画像データを例えばＭＨのような圧縮形式で圧縮して圧縮ファイルを生成し、この圧縮ファイルを１つのＴＩＦＦ（Tag Image File Format）ファイルに変換し、このＴＩＦＦファイルを例えばＭＩＭＥ（Multipurpose Internet Mail Extension）に従ってマルチパートメールに添付するようになっている。つまり、画像データは、電子メールのフォーマットに変換され、ＬＡＮ制御部５８によりＬＡＮインターフェースを介してＳＭＴＰ等のメール転送プロトコルを用いて送信される。
【００２９】
操作パネル５９は、複合機１００に関する各種コマンドの入力および各種設定を行うためのユーザインターフェイスである。操作パネル５９には、図３（ａ）に示すように、利用者が入力および設定を行うためのハードウェアキーと表示装置５９ａとが設けられている。ハードウェアキーには、数値入力のためのテンキー５９ｂ、入力した設定値をクリアするためのクリアキー５９ｃ、入力した各種設定を全解除するための全解除キー５９ｄ、ジョブの開始等の指示を受付けるスタートキー５９ｅ、プリント処理モード、送信処理モードおよび、コピー処理モードを切替えるモード切替キー５９ｆ，５９ｇ，５９ｈ、利用者による設定を受付けるシステム設定キー５９ｉが含まれる。
【００３０】
表示装置５９ａは、カラー画像の表示が可能な液晶ディスプレイであり、複合機１００に関する各種情報を表示するものである。また、表示装置５９ａは、タッチパネルが取り付けられており、表示されているボタンを指でタッチすることによる入力指示を受け付け可能な入力インターフェースとしても機能する。つまり、表示装置５９ａには、複合機１００に対して各種コマンドの入力等の操作を行うためのボタンを示す操作画面が表示される。また、表示装置５９ａは、液晶ディスプレィに限定されるものではなく、有機ＥＬディスプレィやＣＲＴ等の他の表示方式のディスプレィ装置であってもよい。
【００３１】
制御装置６０は、複合機１００が備える各ハードウェアの制御、各ハードウェア間のデータ転送の制御、複合機１００にて扱われる画像データの処理を行うコンピュータである。制御装置６０は、ＣＰＵ（Central Processing Unit）あるいはＤＳＰ（Digital Signal Processor）等のプロセッサと、ＡＳＩＣ（Application Specific Integrated Circuit）等の集積回路とを有し、前記プロセッサおよびＡＳＩＣにデータ処理を行わせるようになっている。
【００３２】
具体的に、制御装置６０は、利用者からの指示に応じて複合機１００の各ハードウェアを制御して、プリント処理、コピー処理、ファクシミリ送信処理、ファクシミリ受信処理、イメージ送信処理等を実現するようになっている。つまり、制御装置６０は、画像データをプリンタ５２に転送してプリンタ５２に印刷処理を行わせ、当該画像データを表示装置５９ａに転送して表示装置５９ａに画像を表示させ、必要に応じて画像データに対して画像処理を行うようになっている。つまり、制御装置６０は、画像データを取り扱う画像処理装置としても機能するものともいえる。
【００３３】
なお、プリント処理とは、複合機１００が外部端末から受信した画像データの画像をプリンタ５２に印刷させる処理である。コピー処理とは、スキャナ５１にて読み取られた画像データの画像をプリンタ５２に印刷させる処理である。ファクシミリ送信処理とは、ファクシミリによって複合機１００から外部装置へ画像データを送信する処理である。ファクシミリ受信処理とは、複合機１００が、ファクシミリによって外部装置から受信した画像データの画像をプリンタ５２に印刷させる処理である。イメージ送信処理とは、スキャナ５１にて読み取られた画像データの画像を複合機１００に接続されているネットワーク上の所定アドレスに送信する処理である。
【００３４】
また、本実施形態の複合機１００では、プリント処理、コピー処理、ファクシミリ受信処理における印刷処理前に、印刷対象の画像を表示装置５９ａにプレビュー表示させることが可能になっている。また、ファクシミリ送信処理、イメージ送信処理における送信処理前に、送信対象の画像を表示装置５９ａにプレビュー表示させることが可能になっている。以下、コピー処理時を例にしてプレビュー表示について詳細に説明する。
【００３５】
図４は、コピー処理時における複合機１００の処理の流れを示すフローチャートである。まず、利用者は、スキャナ５１の原稿台または自動原稿搬送装置に原稿をセットする（Ｓ１）。つぎに、利用者は、表示装置５９ａに表示されている操作画面を用いてコピー処理の処理条件の設定を行う（Ｓ２）。具体的に、コピー処理におけるスキャン開始前においては図５（ａ）に示される操作画面が表示されており、利用者は当該操作画面を用いて処理条件の設定を行う。例えば、図５（ａ）に示される両面コピーボタン１を押した場合、両面コピー用設定画面が表示装置５９ａに表示され、この両面コピー用設定画面を用いて両面コピーを処理条件として設定できるようになっている。そして、図５（ａ）に示されるプレビュー確認ボタン２を押した場合、処理条件としてプレビュー表示が設定されるようになっている。
【００３６】
Ｓ２における処理条件の設定後、利用者はスキャン開始コマンドを入力する。制御装置６０は、前記スキャン開始コマンドを受付けると（Ｓ３にてＹＥＳ）、原稿から画像データを読み取る処理をスキャナ５１に行わせるようになっている（Ｓ４）。なお、図３に示されるスタートキー５９ｅを押すことによって前記スキャン開始コマンドを入力できる。
【００３７】
Ｓ２においてプレビュー表示が設定されていない場合、制御装置６０は、Ｓ３の画像データの読み取り処理後、表示装置５９ａにプレビュー表示を行わせることなく、当該画像データの画像をプリンタ５２に印刷させる（Ｓ５にてＮＯ，Ｓ１１）。
【００３８】
これに対し、Ｓ２においてプレビュー表示が設定されている場合、制御装置６０は、画像データの読み取り処理後、当該画像データに基づいてプレビュー表示用の画像を生成する処理を行い（Ｓ６）、生成した画像を表示装置５９ａにプレビュー表示させる（Ｓ７）。具体的に、制御装置６０は、図５（ｂ）に示すようなプレビュー確認画面を表示させることになる。このプレビュー確認画面には、プレビュー表示されている印刷対象の画像３の他、条件再設定または各種指示を行うための各種操作ボタンも示されている。なお、プレビュー表示されている画像にはＳ２にて設定された処理条件の内容が反映されている。
【００３９】
また、両面コピー、ステープル/パンチ等の条件が設定されている時、図５（ｂ）の仕上がり表示ボタン５がアクティブになり、仕上がり表示ボタン５を押すと当該条件が反映された画像のプレビューが表示されるようにもなっている。
【００４０】
印刷対象の画像がプレビュー表示されている間に処理条件の再設定がある場合（Ｓ８にてＹＥＳ）、制御装置６０は、再設定された処理条件に応じたプレビュー用の画像を再生成し（Ｓ９）、再生成した画像を表示装置５９ａにプレビュー表示させる。例えば、割付原稿印刷（２in１印刷）を設定すれば、設定内容が反映された画像が表示されることになる。
【００４１】
そして、印刷対象の画像がプレビュー表示されている間にコピー開始コマンドが入力されると、制御装置６０は、設定されている処理条件に基づいて画像データの画像をプリンタ５２に印刷させ（Ｓ１０にてＹＥＳ，Ｓ１１）、コピー処理を終了する。なお、図５（ｂ）に示されるコピー開始ボタンを押すことによって前記コピー開始コマンドが入力されるようになっている。
【００４２】
本実施形態では、以上のようにして、印刷処理前に印刷対象の画像をプレビュー表示させることが可能になっている。さらに、本実施形態では、印刷対象の画像の画像データに対して変倍処理を行う場合、プレビュー表示機能およびタッチパネルの機能を利用して変倍処理の処理条件を設定するようになっている。以下では、この点に関する実施例１〜実施例４を説明する。
【００４３】
[実施例１]
以下では図６（ａ）〜図６（ｆ）に基づいて実施例１を説明する。実施例１では、印刷対象の画像（以下では単に「印刷対象画像」と称す）がプレビュー表示されると、図６（ａ）に示すように、タッチ変倍ボタン１０が表示される。なお、図６（ａ）において、符号１２で示される図形がプレビュー表示されている印刷対象画像であり、符号Ｐで示される矩形は印刷用紙をプレビュー表示したものである。
【００４４】
そして、利用者が図６（ａ）に示されるタッチ変倍ボタン１０を押すと、制御装置６０は、プレビュー表示されている印刷対象画像１２上に１つ目の任意のポイントを指定する事を促すメッセージを、表示装置５９ａに表示させる。具体的には、タッチ変倍ボタン１０が押されると、表示装置５９ａの表示内容が図６（ａ）から図６（ｂ）に遷移し、図６（ｂ）に示すようなメッセージ１１が表示されることになる。
【００４５】
図６（ｂ）のメッセージ１１の表示中に、表示装置５９ａ上の印刷対象画像１２における任意のポイントを利用者が指でタッチすると、制御装置６０は、図６（ｃ）に示すように、プレビュー表示されている印刷対象画像１２上の利用者のタッチ位置にポイント１３を表示させ、２つ目の任意のポイントの指定を促すメッセージ１４を表示装置５９ａに表示させる。つまり、利用者によって最初のポイントが指定されると、表示装置５９ａの表示内容は図６（ｂ）から図６（ｃ）へ遷移することになる。
【００４６】
つぎに、メッセージ１４の表示中に、表示装置５９ａ上の印刷対象画像１２における２つ目の任意のポイントを利用者が指でタッチすると、制御装置６０は、図６（ｄ）に示すように、プレビュー表示されている印刷対象画像１２上の利用者のタッチ位置にポイント１５を表示させる。つまり、２つ目のポイントが利用者に指定されると、表示装置５９ａの表示内容は図６（ｃ）から図６（ｄ）へ遷移することになる。
【００４７】
以上のようにして、制御装置６０は、利用者からの指示入力に応じて印刷対象画像１２上に２つのポイント１３・１５を設定することになる。
【００４８】
また、ポイント１３・１５の設定後、制御装置６０は、図６（ｄ）に示すように、印刷される画像の画像データおよびポイント１３・１５の位置に基づいて、現状の設定条件で印刷出力した場合の出力時寸法を自動演算して表示装置５９ａに表示させている（符号１７）。なお、本実施例の出力時寸法（印刷時寸法）とは、印刷出力される画像上におけるポイント１３とポイント１５との間の距離である。
【００４９】
さらに、制御装置６０は、図６（ｄ）に示すように、現状の設定条件で印刷出力した場合の出力時寸法のみならず、出力時寸法の所望値の入力を促すメッセージ１６を表示装置５９ａに表示させる。
【００５０】
図６（ｄ）の画面が表示されている状態において、利用者がテンキー５９ｂを用いて出力時寸法の所望値を入力すると、制御装置６０は、図６（ｅ）の符号１８に示すように、入力した出力時寸法の値を確認的に表示装置５９ａに表示させるようになっている。つまり、本実施例では利用者は出力時寸法の所望値として６０ｍｍを入力しており、表示装置５９ａの表示内容は図６（ｄ）から図６（ｅ）へ遷移することになる。また、制御装置６０は、出力時寸法の所望値が入力されると、図６（ｅ）に示すように、再プレビューボタン１９を表示装置５９ａに表示させるようになっている。
【００５１】
図６（ｅ）に示される再プレビューボタン１９を利用者が押すと、制御装置６０は、利用者に入力された出力時寸法の所望値を処理条件として設定し、設定されている処理条件を反映させた、プレビュー用の印刷対象画像を再生成し、再生成した印刷対象画像を表示装置５９ａにプレビュー表示させるようになっている。なお、本実施例において、再プレビューボタン１９が押されると、表示装置５９ａの表示内容は図６（ｅ）から図６（ｆ）へ遷移することになる。
【００５２】
本実施例において、利用者が所望値を入力する前に設定されている出力時寸法は４０ｍｍであり、利用者が所望値を入力した後に設定された出力時寸法は６０ｍｍである。それゆえ、本実施例においては、印刷出力される画像上のポイント１３・１５間の距離が利用者の入力した出力時寸法の所望値になるように画像データに対して変倍処理を行う場合、変倍処理後の画像は変倍処理前の画像よりも大きくなる。よって、本実施例においては、再プレビューボタン１９が押された後にプレビュー表示される印刷対象画像１２'（図６（ｆ）参照）は、再プレビューボタン１９が押される前にプレビュー表示されている印刷対象画像１２（図６（ｅ）参照）よりも大きくなる。
【００５３】
また、再プレビューボタン１９が押された後は、図６（ｆ）に示すようにリセットボタン２０が表示される。リセットボタン２０を押すと、変倍条件設定処理の開始前の状態へ戻るようになっている（つまり、図６（ｆ）から図６（ａ）の状態へ戻る）。
【００５４】
図６（ｆ）の状態において、利用者がコピー開始ボタン６を押すと、制御装置６０は、コピー開始ボタン６が押された時点の設定条件に基づいて画像データに対して画像処理を行った上で、当該画像データをプリンタ５２に供給して印刷処理を行わせる。具体的に、制御装置６０は、印刷出力される画像上のポイント１３・１５間の距離が利用者の入力した出力時寸法の所望値になるような変倍率を演算し、この変倍率で画像データに対して変倍処理を行い、変倍処理の施された画像データをプリンタ５２に供給して印刷処理を行わせる。これにより、利用者によって設定された変倍処理の処理条件（出力時寸法）に基づいた変倍処理が行われた上で印刷処理が実行される。つまり、用紙上に印刷出力された画像においてポイント１３・１５間の距離は６０ｍｍになる。
【００５５】
以上のように、本実施例の制御装置６０は、利用者からの指示入力に応じて、表示装置５９ａにプレビュー表示されている画像上に２つのポイントを設定するポイント設定部として機能する。そして、制御装置６０は、画像データに変倍処理を行ってから印刷出力される画像上における前記２つのポイント間の距離である出力時寸法（印刷時寸法）を、利用者からの指示入力に応じて設定する寸法設定部として機能する。さらに、制御装置６０は、設定された印刷時寸法に基づいて前記画像データに対して変倍処理を行う変倍処理部としても機能することになる。
【００５６】
以上示した構成によれば、前記出力時寸法が利用者の所望値になるように、前記画像の画像データに対して変倍処理を行うことができる。それゆえ、印刷出力される画像の一部分の寸法について利用者が所望値を決めているようなケースにおいて、簡易且つ正確に変倍処理の処理条件を設定することができるという効果を奏する。
【００５７】
さらに、本実施例の制御装置６０は、利用者からの指示入力に応じて出力時寸法が設定された場合、設定された出力時寸法に応じた画像を表示装置５９ａにプレビュー表示させる表示制御部としての機能を有している。それゆえ、設定された出力時寸法に基づいて変倍処理を行った上で印刷処理を行う場合の出力画像のプレビューを利用者は確認できるため、設定した出力時寸法の適否を印刷前に確認でき、不適である場合に無駄に印刷処理が行われることを抑制できるという効果を奏する。
【００５８】
なお、本実施例で実行される変倍処理では、画像の横方向（主走査方向に対応する方向）の変倍率と画像の縦方向（副走査方向に対応する方向）の変倍率とが同一値に定められる。それゆえ、図６（ａ）〜図６（ｆ）から明らかであるが、ポイント１３・１５間の距離を６０ｍｍに設定する場合、横方向のみを変倍すれば縦方向を変倍しなくても設定条件を満たすことになるが、本実施例では縦方向についても横方向と同じ倍率で変倍されることになる。ここで、副走査方向とは、印刷用紙の面に平行且つプリンタ５２における印刷用紙の用紙搬送方向であり、主走査方向とは、印刷用紙の面に平行且つ副走査方向に直交する方向である。本実施例では、図６（ａ）の印刷用紙Ｐの短辺に平行な方向が主走査方向に対応し、印刷用紙Ｐの長辺に平行な方向が副走査方向に対応する。
【００５９】
また、本実施例では、制御装置６０は、図６（ｂ）または図６（ｃ）の状態において、利用者の指のタッチ領域からポイントを設定することになるが、この設定手法を以下に説明する。原則として、制御装置６０は、図６（ｂ）または図６（ｃ）の状態において、利用者の指のタッチ領域を検出すると、当該タッチ領域の中心点を前記ポイントの位置として認識するようになっている。但し、制御装置６０は、利用者の指のタッチ領域の中心点の位置が印刷対象画像１２上ではない場合、当該中心点を前記ポイントの位置として認識しない。例えば、例えばタッチ領域が印刷用紙Ｐの下地部分のみと重なっているような場合、制御装置６０はタッチ領域の中心点を前記ポイントの位置として認識せず、印刷対象画像１２上に前記中心点が位置するまで待機し続ける。
【００６０】
なお、本実施例ではポイントの指定を指で行っているが、タッチペンで行ってもよいし、マウスやキーボードによってカーソルを移動させることでポイントの指定を行う形態であってもよい。
【００６１】
また、本実施例では画像の縦方向の変倍率と画像の横方向の変倍率とが同一である変倍処理が行われるが、縦方向および横方向のうちの一方を利用者に指定させ、指定させた方向のみ変倍処理が行われるようになっていてもよい。例えば、図１０に示すように、タッチ変倍ボタン１０の下側に方向指定ボタン７０を表示させ、利用者が方向指定ボタン７０を押すと、変倍処理の変倍方向を指定できるようになっていてもよい。但し、この形態においては、変倍方向として縦方向が指定されている場合、ポイント１３・１５を結ぶ直線が横方向と平行にならないように、利用者にポイント１３・１５の位置決めを行わせなければならず、変倍方向として横方向が指定されている場合、ポイント１３・１５を結ぶ直線が縦方向と平行にならないように、利用者にポイント１３・１５の位置決めを行わせなければならない。なお、図１０において、符号７０ａは方向指定ボタンが押された状態を示している。
【００６２】
[実施例２]
つぎに、図７（ａ）〜図７（ｆ）に基づいて実施例２を説明する。実施例２においても、印刷対象画像１２ａがプレビュー表示されると、図７（ａ）に示すように、タッチ変倍ボタン１０ａが表示される。
【００６３】
利用者が図７（ａ）に示されるタッチ変倍ボタン１０ａを押すと、制御装置６０は、プレビュー表示されている印刷対象画像１２ａ上に１つ目の任意のポイントを指定する事を促すメッセージを、表示装置５９ａに表示させる。具体的には、タッチ変倍ボタン１０ａが押されると、実施例１の場合と同様、表示装置５９ａの表示内容が図７（ａ）から図７（ｂ）に遷移し、図７（ｂ）に示すようなメッセージ１１ａが表示されることになる。
【００６４】
図７（ｂ）のメッセージ１１ａの表示中に、表示装置５９ａ上の印刷対象画像１２ａにおける任意のポイントを利用者が指でタッチすると、制御装置６０は、図７（ｃ）に示すように、プレビュー表示されている印刷対象画像１２ａ上の利用者のタッチ位置にポイント１３ａを表示させ、２つ目の任意のポイントの指定および当該指定後にポイントをドラッグすることを促すメッセージ２４を表示装置５９ａに表示させる。つまり、利用者によって最初のポイントが指定されると、表示装置５９ａの表示内容は図７（ｂ）から図７（ｃ）へ遷移することになる。
【００６５】
図７（ｃ）に示すメッセージ２４の表示中に、表示装置５９ａ上の印刷対象画像１２ａにおける２つ目の任意のポイントを利用者が指でタッチすると、制御装置６０は、図７（ｄ）に示すように、プレビュー表示されている印刷対象画像１２ａ上の利用者のタッチ位置にポイント１５ａを表示させる。つまり、利用者によって２つ目のポイントが指定されると、表示装置５９ａの表示内容は図７（ｃ）から図７（ｄ）へ遷移することになる。なお、２つ目のポイントの設定後、本実施例においても、制御装置６０は、図７（ｄ）に示すように、印刷される画像の画像データおよびポイント１３ａ・１５ａの位置に基づいて、現状の設定条件で印刷出力した場合の出力時寸法を自動演算して表示装置５９ａに表示させている（符号１７ａ）。なお、本実施例の出力時寸法（所定寸法）は、実施例１と同様、印刷出力される画像上におけるポイント１３ａとポイント１５ａとの間の距離である。
【００６６】
また、２つ目のポイントの設定後、制御装置６０は、図７（ｄ）に示すように、ポイント１３ａ・１５ａをドラッグすることによって所望の出力時寸法を設定することを促すメッセージ２５を表示装置５９ａに表示させるようになっている。ここで、ポイント１３ａ・１５ａのドラッグはマルチタッチ機能によって行われるようになっている。つまり、ポイント１３ａに指を当て、この指を表示装置５９ａ上でスライドさせると、このスライドに伴ってポイント１３ａが移動し、ポイント１３ａから指を離すと、ポイント１３ａの位置は指の離れた箇所に決定されるようになっている。また、ポイント１５ａについても同様である。
【００６７】
利用者が、ポイント１３ａ・１５ａをドラッグすることによって表示装置５９ａ上のポイント１３ａ・１５ａの間隔を調整すると、制御装置６０は、ポイント１３ａ・１５ａの間隔の変動に応じて、表示装置５９ａに表示させる出力時寸法の値を調整する。例えば、ポイント１３ａ・１５ａの間隔を広げることによって、表示装置５９ａに表示されている表示内容を図７（ｄ）の状態から図７（ｅ）の状態を経由して図７（ｆ）の状態へ移行させた場合、図７（ｄ）〜図７（ｆ）に示すように、ポイント１３ａ・１５ａの間隔の増加に応じて、表示されている出力時寸法（符号１７ａ）も増加するようになっている。
【００６８】
また、図７（ｄ）〜図７（ｆ）に示すように、ポイント１３ａ・１５ａの間隔の変動に応じて、出力時寸法が調整されるだけではなく、プレビュー表示する印刷対象画像１２ａの大きさも変化させる。つまり、出力時寸法が調整されると、調整された出力時寸法に基づいて変倍処理を行う場合に印刷出力される画像をプレビュー表示することになる。
【００６９】
そして、利用者がポイント１３ａ・１５ａから指を離してドラッグを完了させると、制御装置６０は、図７（ｆ）に示すように、出力時寸法の再調整を促すメッセージ２６と、リセットボタン２０ａとを表示装置５９ａに表示させる。なお、本実施例においては、メッセージ２６に示されているように、タッチ変倍ボタン１０ａを押すことによって、ポイント１３ａ・１５ａを再度ドラッグして出力時寸法を再調整できるようになっている。また、リセットボタン２０ａを押すと、変倍条件設定処理の開始前の状態へ戻るようになっている（つまり、図７（ｆ）から図７（ａ）の状態へ戻る）。
【００７０】
さらに、ポイント１３ａ・１５ａが表示されている状態において（つまり、図７（ｄ）または図７（ｆ）の状態）、利用者がコピー開始ボタン６ａを押すと、制御装置６０は、コピー開始ボタン６ａが押された時点の設定条件に基づいて画像データに対して画像処理を行った上で、当該画像データをプリンタ５２に供給して印刷処理を行わせる。具体的に、制御装置６０は、印刷出力される画像上のポイント１３ａ・１５ａ間の距離が現時点（コピー開始ボタン６ａが押された時点）で表示装置５９ａに表示されている出力時寸法になるような変倍率を演算し、画像データに対して前記変倍率で変倍処理を行い、変倍処理の施された画像データをプリンタ５２に供給して印刷処理を行わせる。これにより、利用者によって設定された変倍処理の処理条件（出力時寸法）に基づいた変倍処理が行われた上で印刷処理が実行されることになる。
【００７１】
以上のように、本実施例では、制御装置６０は、利用者からの指示入力に応じて、設定した２つのポイントのうち少なくとも一方の位置調整を行う位置調整部として機能する。また、制御装置６０は、印刷される画像の画像データおよび前記ポイントの位置に基づいて当該位置に応じた出力時寸法を表示装置５９ａに表示させ、且つ、前記位置調整に応じて表示装置５９ａに表示させる出力時寸法を調整するようになっている。さらに、制御装置６０は、コピー開始指示（確定指示）を受付けた時点で表示装置５９ａに表示されている出力時寸法に基づいて変倍処理を行うようになっている。
【００７２】
以上示した構成によれば、プレビュー表示されている印刷対象画像１２ａ上に２つのポイントを設定するだけで２つのポイント間の出力時寸法が表示され、さらに、ポイントの位置を調整（変更）すると、当該調整に応じて、表示されている出力時寸法も調整（変更）されるようになっている。それゆえ、指定した２つのポイント間の出力時寸法の所望値をキーボード操作等で入力する必要なく、当該所望値に簡単に設定できる。
【００７３】
[実施例３]
実施例１においては、２つのポイント１３・１５間の距離を出力時寸法（印刷時寸法）として利用者に設定させる形態であった。しかし、出力時寸法の形態は、実施例１のものに限定されるものではない。
【００７４】
具体的に、出力時寸法は、２つのポイント１３・１５により所定規則に従って定められる画像上の所定位置間の寸法であって、画像データに対して変倍処理を行ってから印刷出力される画像における前記所定位置間の寸法であればよい。前記所定規則の一例として、前記２つのポイント間の距離を前記出力時寸法とする規則が挙げられ、この場合の出力時寸法は実施例１のものとなる。これに対し、前記所定規則の他例として、第１および第２ポイントを前記画像の縦方向に平行に移動させて前記画像の横方向に平行な一辺に到達させた場合における第１および第２ポイント間の距離に相当する第１距離と、第１および第２ポイントを前記画像の横方向に平行に移動させて前記画像の縦方向に平行な一辺に到達させた場合における第１および第２ポイント間の距離に相当する第２距離とを前記出力時寸法とする規則が挙げられる。以下、この規則を適用する場合の実施例について、図８（ａ）〜図８（ｆ）に基づいて説明する。
【００７５】
実施例３においても、他実施例と同様、印刷対象画像がプレビュー表示されると、図８（ａ）に示すように、タッチ変倍ボタン１０ｂが表示される。なお、図８において、図６または図７と同じ符号が付されている画像，ボタン等は、図６または図７で同じ符号が付されている画像，ボタン等と同じものである。
【００７６】
利用者が図８（ａ）に示されるタッチ変倍ボタン１０ｂを押すと、制御装置６０は、プレビュー表示されている印刷対象画像１２ｂ上に１つ目の任意のポイントを指定する事を促すメッセージ１１ｂを、表示装置５９ａに表示させる。具体的には、タッチ変倍ボタン１０ｂが押されると、実施例１の場合と同様、表示装置５９ａの表示内容が図８（ａ）から図８（ｂ）に遷移し、図８（ｂ）に示すようなメッセージ１１ｂが表示されることになる。
【００７７】
図８（ｂ）のメッセージ１１ｂの表示中に、表示装置５９ａ上の印刷対象画像１２ｂにおける任意のポイントを利用者が指でタッチすると、制御装置６０は、図８（ｃ）に示すように、プレビュー表示されている印刷対象画像１２ｂ上の利用者のタッチ位置にポイント１３ｂを表示させ、２つ目の任意のポイントの指定を促すメッセージ１４ｂを表示装置５９ａに表示させる。つまり、利用者によって最初のポイントが指定されると、表示装置５９ａの表示内容は図８（ｂ）から図８（ｃ）へ遷移することになる。
【００７８】
つぎに、メッセージ１４ｂの表示中に、表示装置５９ａ上の印刷対象画像１２ｂにおける２つ目の任意のポイントを利用者が指でタッチすると、制御装置６０は、図８（ｄ）に示すように、プレビュー表示されている印刷対象画像１２ｂ上の利用者のタッチ位置にポイント１５ｂを表示させる。つまり、利用者によって２つ目のポイントが指定されると、表示装置５９ａの表示内容は図８（ｃ）から図８（ｄ）へ遷移することになる。
【００７９】
以上のようにして、制御装置６０は、利用者からの指示入力に応じて印刷対象画像１２上に２つのポイント１３ｂ・１５ｂを設定することになる。
【００８０】
また、ポイント１３ｂ・１５ｂの設定後、制御装置６０は、図８（ｄ）に示すように、印刷される画像の画像データおよびポイント１３ｂ・１５ｂの位置に基づいて、現状の設定条件で印刷出力した場合の出力時Ｘ軸寸法および出力時Ｙ軸寸法を自動演算して表示装置５９ａに表示させている（符号３０が現状の出力時Ｘ軸寸法であり、符号３１が現状の出力時Ｙ軸寸法である）。
【００８１】
ここで、出力時Ｘ軸寸法（第１距離）とは、ポイント１３ｂ・１５ｂを印刷される画像の縦方向に平行に移動させて前記画像の横方向に平行な一辺に到達させた場合におけるポイント１３ｂ・１５ｂ間の距離に相当する値である。また、出力時Ｙ軸寸法（第２距離）とは、ポイント１３ｂ・１５ｂを印刷される画像の横方向に平行に移動させて前記画像の縦方向に平行な一辺に到達させた場合におけるポイント１３ｂ・１５ｂ間の距離に相当する値である。
【００８２】
また、前記横方向（Ｘ軸方向）は前記主走査方向に対応する方向であり、前記縦方向（Ｙ軸方向）は前記副走査方向に対応する方向である。また、本実施例では、印刷用紙Ｐの短辺に平行な方向が主走査方向に対応し、印刷用紙Ｐの長辺に平行な方向が副走査方向に対応する。さらに、前記画像の横方向に平行な一辺は図８（ｄ）の符号Ｐ１に示される辺であり、前記画像の縦方向に平行な一辺は図８（ｄ）の符号Ｐ２に示される辺である。
【００８３】
なお、図８（ｄ）に示すように、現状の出力時Ｘ軸寸法は４０ｍｍであり、現状の出力時Ｙ軸寸法は１６０ｍｍとなっている。
【００８４】
さらに、制御装置６０は、図８（ｄ）に示すように、現状の設定条件で印刷出力した場合の出力時Ｘ軸寸法および出力時Ｙ軸寸法のみならず、出力時Ｘ軸寸法および出力時Ｙ軸寸法の所望値の入力を促すメッセージ３２を表示装置５９ａに表示させる。
【００８５】
利用者がテンキー５９ｂを用いて出力時Ｘ軸寸法の所望値および出力時Ｙ軸寸法の所望値を入力すると、制御装置６０は、図８（ｅ）に示すように、再プレビューボタン１９ｂを表示し、且つ、入力された所望値を表示装置５９ａに表示させる（符号３３・３４参照）。つまり、本実施例では、利用者は、出力時Ｘ軸寸法の所望値として６０ｍｍを入力し、出力時Ｙ軸寸法の所望値として１６０ｍｍを入力している。なお、出力時Ｘ軸寸法の所望値および出力時Ｙ軸寸法の所望値の入力後、表示装置５９ａの表示内容は図８（ｄ）から図８（ｅ）へ遷移することになる。
【００８６】
そして、図８（ｅ）に示される再プレビューボタン１９ｂを利用者が押すと、制御装置６０は、利用者に入力された出力時Ｘ軸寸法の所望値および出力時Ｙ軸寸法の所望値を処理条件として設定し、設定されている処理条件を反映させた、プレビュー用の印刷対象画像を再生成し、再生成した印刷対象画像を表示装置５９ａにプレビュー表示させるようになっている。なお、本実施例において、再プレビューボタン１９ｂが押されると、表示装置５９ａの表示内容は図８（ｅ）から図８（ｆ）へ遷移することになる。
【００８７】
また、本実施例の変倍処理では、画像の横方向（主走査方向に対応する方向）の変倍率と画像の縦方向（副走査方向に対応する方向）の変倍率とは別々に定められる。つまり、横方向の変倍率と縦方向の変倍率とが、同一値になることもあるし、互いに異なる値になることもある。具体的には、画像の横方向の変倍率は出力時Ｘ軸寸法が利用者の所望値になるような値に設定され、画像の縦方向の変倍率は出力時Ｙ軸寸法が利用者の所望値になるような値に設定される。
【００８８】
本実施例の場合、利用者が所望値を入力する前の出力時Ｘ軸寸法は４０ｍｍであって利用者が所望値を入力した後の出力時Ｘ軸寸法は６０ｍｍであるため、画像の横方向の長さが１．５倍になるような第１の変倍率が演算される。さらに、利用者が所望値を入力する前の出力時Ｙ軸寸法は１６０ｍｍであって利用者が所望値を入力した後の出力時Ｘ軸寸法は１６０ｍｍであるため、画像の縦方向の長さが１倍になるような第２の変倍率が演算される（つまり変倍率は１）。そして、変倍処理時においては、画像の横方向に対して第１の変倍率で変倍を行い、さらに、画像の縦方向に対して第２の変倍率で変倍を行うようになっている。
【００８９】
それゆえ、本実施例においては、図８（ｆ）および図８（ｅ）に示すように、再プレビューボタン１９ｂが押された後にプレビュー表示される印刷対象画像１２ｂ'は、再プレビューボタン１９が押される前にプレビュー表示されている印刷対象画像１２ｂと比べて、横方向の長さが大きくなっている一方、縦方向の長さは同一である。
【００９０】
その後、利用者が図８（ｆ）に示すコピー開始ボタン６ｂを押すと、制御装置６０は、コピー開始ボタン６ｂが押された時点の設定条件に基づいて画像データに対して画像処理を行った上で、当該画像データをプリンタ５２に供給して印刷処理を行わせる。具体的に、制御装置６０は、出力時Ｘ軸寸法および出力時Ｘ軸寸法が利用者の入力した所望値になるように画像データに対して変倍処理を行い、変倍処理の施された画像データをプリンタ５２に供給して印刷処理を行わせる。これにより、利用者によって設定された変倍処理の処理条件（出力時Ｘ軸寸法および出力時Ｘ軸寸法）に基づいた変倍処理が行われた上で印刷処理が実行される。
【００９１】
以上のように、本実施例では、制御装置６０は、利用者からの指示入力に応じて、表示装置５９ａにプレビュー表示されている画像上にポイント１３ｂ（第１ポイント）およびポイント１５ｂ（第２ポイント）を設定するポイント設定部として機能する。また、制御装置６０は、ポイント１３ｂ・１５ｂを印刷される画像の縦方向に平行に移動させて前記画像の横方向に平行な一辺上に到達させた場合におけるポイント１３ｂ・１５ｂ間の距離に相当する出力時Ｘ軸寸法と、ポイント１３ｂ・１５ｂを印刷される画像の横方向に平行に移動させて前記画像の縦方向に平行な一辺上に到達させた場合におけるポイント１３ｂ・１５ｂ間の距離に相当する出力時Ｙ軸寸法とを設定する寸法設定部として機能する。さらに、制御装置６０は、変倍処理における画像の横方向の変倍率を出力時Ｘ軸寸法に応じて定め、前記変倍処理における画像の縦方向の変倍率を出力時Ｙ軸寸法に応じて定めるようになっている。
【００９２】
以上の構成によれば、印刷対象画像１２ｂ上の任意の一部分の縦寸法の所望値と横寸法の所望値とを別々に入力でき、入力した各所望値を満たすように縦方向と横方向とで各々独立に変倍率が設定される。それゆえ、印刷対象画像１２ｂ上の任意の一部分について利用者の指定した縦寸法の所望値と横寸法の所望値とが同時に満たされ、且つ、横方向と縦方向とで変倍率が異なるような変倍処理を行うことが可能になる。
【００９３】
[実施例４]
実施例３では、２つのポイントを用いて出力時Ｘ軸寸法および出力時Ｙ軸寸法を設定することになるが、３つのポイントを用いて出力時Ｘ軸寸法および出力時Ｙ軸寸法を設定する形態であってもよい。実施例４では当該形態について図９（ａ）〜図９（ｇ）に基づいて説明する。なお、図９において、図６ないし図８と同じ符号が付されている画像，ボタン等は、図６ないし図８で同じ符号が付されている画像，ボタン等と同じものである。
【００９４】
実施例４においても、他実施例と同様、印刷対象画像がプレビュー表示されると、図９（ａ）に示すように、タッチ変倍ボタン１０ｃが表示される。
【００９５】
利用者が図９（ａ）に示されるタッチ変倍ボタン１０ｃを押すと、制御装置６０は、プレビュー表示されている印刷対象画像１２ｃ上に１つ目の任意のポイントを指定する事を促すメッセージを、表示装置５９ａに表示させる。具体的には、タッチ変倍ボタン１０ｃが押されると、実施例１の場合と同様、表示装置５９ａの表示内容が図９（ａ）から図９（ｂ）に遷移し、図９（ｂ）に示すようなメッセージ１１ｃが表示されることになる。
【００９６】
図９（ｂ）のメッセージ１１ｃの表示中に、表示装置５９ａ上の印刷対象画像１２ｃにおける任意のポイントを利用者が指でタッチすると、制御装置６０は、図９（ｃ）に示すように、プレビュー表示されている印刷対象画像１２ｃ上の利用者のタッチ位置にポイント１３ｃを表示させ、２つ目の任意のポイントの指定を促すメッセージ１４ｃを表示装置５９ａに表示させる。つまり、利用者によって最初のポイントが指定されると、表示装置５９ａの表示内容は図９（ｂ）から図９（ｃ）へ遷移することになる。
【００９７】
メッセージ１４ｃの表示中に、表示装置５９ａ上の印刷対象画像１２ｃにおける２つ目の任意のポイントを利用者が指でタッチすると、制御装置６０は、図９（ｄ）に示すように、プレビュー表示されている印刷対象画像１２ｃ上の利用者のタッチ位置にポイント１５ｃを表示させる。つまり、利用者によって２つ目のポイントが指定されると、表示装置５９ａの表示内容は図９（ｃ）から図９（ｄ）へ遷移することになる。
【００９８】
また、利用者によって２つのポイントの指定が行われると、図９（ｄ）に示すように、制御装置６０は、ポイント１３ｃ・１５ｃを表示させるだけでなく、３つ目の任意のポイントの指定を促すメッセージ４１を表示装置５９ａに表示させる。さらに、制御装置６０は、図９（ｄ）に示すように、ポイント１３ｃ・１５ｃの表示と共に、現状の設定条件で印刷出力した場合の出力時Ｘ軸寸法を表示装置５９ａに表示させる（符号３０ｃ参照）。なお、本実施例の出力時Ｘ軸寸法とは、最初のポイント１３ｃと２番目のポイント１５ｃとを印刷される画像の縦方向に平行に移動させて前記画像の横方向に平行な一辺に到達させた場合におけるポイント１３ｃ・１５ｃ間の距離に相当する値である。
【００９９】
メッセージ４１の表示中に、表示装置５９ａ上の印刷対象画像１２ｃにおける３つ目の任意のポイントを利用者が指でタッチすると、制御装置６０は、図９（ｅ）に示すように、プレビュー表示されている印刷対象画像１２ｃ上の利用者のタッチ位置にポイント４２を表示させる。つまり、利用者によって３つ目のポイントが指定されると、表示装置５９ａの表示内容は図９（ｄ）から図９（ｅ）へ遷移することになる。
【０１００】
以上のようにして、制御装置６０は、利用者からの指示入力に応じて印刷対象画像１２ｃ上に３つのポイント１３ｃ・１５ｃ・４２を設定することになる。
【０１０１】
また、３つ目のポイント４２の設定後、制御装置６０は、図９（ｅ）に示すように、現状の設定条件で印刷出力した場合の出力時Ｘ軸寸法（符号３０ｃ参照）に加え、出力時Ｙ軸寸法を表示装置５９ａに表示させる（符号３１ｃ参照）。なお、本実施例の出力時Ｙ軸寸法とは、最初のポイント１３ｃと３番目のポイント４２とを印刷される画像の横方向に平行に移動させて前記画像の縦方向に平行な一辺に到達させた場合におけるポイント１３ｃ・１５ｃ間の距離に相当する値である。また、図９（ｅ）に示すように、現状の出力時Ｘ軸寸法は４０ｍｍであり、現状の出力時Ｙ軸寸法は８０ｍｍとなっている。
【０１０２】
３つ目のポイント４２の設定後、制御装置６０は、図９（ｅ）に示すように、現状の設定条件で印刷出力した場合の出力時Ｘ軸寸法および出力時Ｙ軸寸法のみならず、出力時Ｘ軸寸法および出力時Ｙ軸寸法の所望値の入力を促すメッセージ４３を表示装置５９ａに表示させる。
【０１０３】
利用者がテンキー５９ｂを用いて出力時Ｘ軸寸法の所望値および出力時Ｙ軸寸法の所望値を入力すると、制御装置６０は、図９（ｆ）に示すように、再プレビューボタン１９ｃを表示し、且つ、入力された所望値を表示装置５９ａに表示させる（符号３３ｃ・３４ｃ参照）。つまり、本実施例では、利用者は、出力時Ｘ軸寸法の所望値として６０ｍｍを入力し、出力時Ｙ軸寸法の所望値として６０ｍｍを入力している。なお、出力時Ｘ軸寸法の所望値および出力時Ｙ軸寸法の所望値の入力後、表示装置５９ａの表示内容は図９（ｅ）から図９（ｆ）へ遷移することになる。
【０１０４】
そして、図９（ｆ）に示される再プレビューボタン１９ｃを利用者が押すと、制御装置６０は、利用者に入力された出力時Ｘ軸寸法の所望値および出力時Ｙ軸寸法の所望値を処理条件として設定し、設定されている処理条件を反映させた、プレビュー用の印刷対象画像を再生成し、再生成した印刷対象画像を表示装置５９ａにプレビュー表示させるようになっている。なお、本実施例において、再プレビューボタン１９ｃが押されると、表示装置５９ａの表示内容は図９（ｆ）から図９（ｇ）へ遷移することになる。
【０１０５】
また、本実施例の変倍処理では、実施例３と同様、画像の横方向（主走査方向に対応する方向）の変倍率と画像の縦方向（副走査方向に対応する方向）の変倍率とは別々に定められ、画像の横方向の変倍率は出力時Ｘ軸寸法が利用者の所望値になるような値に設定され、画像の縦方向の変倍率は出力時Ｙ軸寸法が利用者の所望値になるような値に設定される。本実施例では、利用者が所望値を入力する前の出力時Ｘ軸寸法は４０ｍｍであって利用者が所望値を入力した後の出力時Ｘ軸寸法は６０ｍｍであるため、画像の横方向の長さが１．５倍になるような第１の変倍率が演算される。さらに、利用者が所望値を入力する前の出力時Ｙ軸寸法は８０ｍｍであって利用者が所望値を入力した後の出力時Ｘ軸寸法は６０ｍｍであるため、画像の縦方向の長さが０．７５倍になるような第２の変倍率が演算される。そして、変倍処理時において、画像の横方向に対して第１の変倍率で変倍を行い、さらに、画像の縦方向に対して第２の変倍率で変倍を行うようになっている。
【０１０６】
それゆえ、本実施例においては、図９（ｇ）および図９（ｆ）に示すように、再プレビューボタン１９が押された後にプレビュー表示される印刷対象画像１２ｃ'は、再プレビューボタン１９が押される前にプレビュー表示されている印刷対象画像１２ｃと比べて、横方向の長さが大きくなっている一方、縦方向の長さは小さくなっている。
【０１０７】
その後、利用者が図９（ｇ）に示すコピー開始ボタン６ｃを押すと、制御装置６０は、コピー開始ボタン６ｃが押された時点の設定条件に基づいて画像データに対して画像処理を行った上で、当該画像データをプリンタ５２に供給して印刷処理を行わせる。具体的に、制御装置６０は、出力時Ｘ軸寸法および出力時Ｘ軸寸法が利用者の入力した所望値になるように画像データに対して変倍処理を行い、変倍処理の施された画像データをプリンタ５２に供給して印刷処理を行わせる。これにより、利用者によって設定された変倍処理の処理条件に基づいた変倍処理が行われた上で印刷処理が実行される。
【０１０８】
以上のように、本実施例では、制御装置６０は、利用者からの指示入力に応じて、表示装置５９ａにプレビュー表示されている画像上に、ポイント１３ｃ（第３ポイント），ポイント１５ｃ（第４ポイント），ポイント４２（第５ポイント）を設定するポイント設定部として機能する。また、制御装置６０は、ポイント１３ｃ・１５ｃを印刷される画像の縦方向に平行に移動させて前記画像の横方向に平行な一辺に到達させた場合におけるポイント１３ｃ・１５ｃ間の距離に相当する出力時Ｘ軸寸法（第３距離）と、ポイント１３ｃ・４２を印刷される画像の横方向に平行に移動させて前記画像の縦方向に平行な一辺に到達させた場合におけるポイント１３ｃ・４２間の距離に相当する出力時Ｙ軸寸法（第４距離）とを設定する寸法設定部として機能する。さらに、制御装置６０は、変倍処理における画像の横方向の変倍率を出力時Ｘ軸寸法に応じて定め、前記変倍処理における画像の縦方向の変倍率を出力時Ｙ軸寸法に応じて定めるようになっている。
【０１０９】
以上の構成によれば、印刷対象画像上の任意の一部分の縦寸法の所望値と横寸法の所望値とを別々に入力でき、入力した各所望値を満たすように縦方向と横方向とで各々独立に変倍率が設定される。それゆえ、印刷対象画像上の任意の一部分について利用者の指定した縦寸法の所望値と横寸法の所望値とが同時に満たされ、且つ、横方向と縦方向とで変倍率が異なるような変倍処理を行うことが可能になる。
【０１１０】
なお、本実施例は、最初のポイント１３ｃと２番目のポイント１５ｃとを前記画像の横方向に平行な一辺に到達させた場合におけるポイント１３ｃ・１５ｃ間の距離を出力時Ｘ軸寸法とし、最初のポイント１３ｃと３番目のポイント４２とを前記画像の縦方向に平行な一辺に到達させた場合におけるポイント１３ｃ・４２間の距離を出力時Ｙ軸寸法とする形態であるが、当該形態に限定されるものではない。例えば、最初のポイント１３ｃと２番目のポイント１５ｃとを前記画像の横方向に平行な一辺に到達させた場合におけるポイント１３ｃ・１５ｃ間の距離を出力時Ｘ軸寸法とし、２番目のポイント１５ｃと３番目のポイント４２とを前記画像の縦方向に平行な一辺に到達させた場合におけるポイント１５ｃ・４２間の距離を出力時Ｙ軸寸法とする形態であってもよい。また、最初のポイント１３ｃと３番目のポイント４２とを前記画像の横方向に平行な一辺に到達させた場合におけるポイント１３ｃ・４２間の距離を出力時Ｘ軸寸法とし、２番目のポイント１５ｃと３番目のポイント４２とを前記画像の縦方向に平行な一辺に到達させた場合におけるポイント１５ｃ・４２間の距離を出力時Ｙ軸寸法とする形態であってもよい。
【０１１１】
また、４つのポイントを指定して出力時Ｘ軸寸法および出力時Ｙ軸寸法を設定する形態であってもよい。つまり、この形態においては、制御装置６０は、利用者からの指示入力に応じて、表示装置５９ａにプレビュー表示されている画像上にポイントａ，ｂ，ｃ，ｄを設定する。また、制御装置６０は、利用者からの指示入力に応じて、ポイントａ，ｂ，ｃ，ｄを用いて、出力時Ｘ軸寸法（第５距離）および出力Ｙ軸寸法（第６距離）を設定する。ここで、出力時Ｘ軸寸法は、ポイントａ（第６ポイント）とポイントｂ（第７ポイント）とを印刷される画像の縦方向に平行に移動させて前記画像の横方向に平行な一辺に到達させた場合におけるポイントａ・ｂ間の距離に相当する値である。出力時Ｙ軸寸法は、ポイントｃ（第８ポイント）とポイントｄ（第９ポイント）とを印刷される画像の横方向に平行に移動させて前記画像の縦方向に平行な一辺に到達させた場合におけるポイントｃ・ｄ間の距離に相当する値である。そして、制御装置６０は、変倍処理における画像の横方向の変倍率を出力時Ｘ軸寸法に応じて定め、前記変倍処理における画像の縦方向の変倍率を出力時Ｙ軸寸法に応じて定めるようになっている。このような形態であっても、印刷対象画像上の任意の一部分について利用者の指定した縦寸法の所望値と横寸法の所望値とが同時に満たされ、且つ、横方向と縦方向とで変倍率が異なるような変倍処理を行うことが可能になる。
【０１１２】
[変形例]
また、制御装置６０（第１用紙サイズ設定部）は、変倍処理の設定が行われ、変倍処理後の画像データに基づいて印刷を行う場合、画像が印刷可能範囲からはみださないような印刷用紙サイズを設定するようになっていてもよい。これにより、印刷される画像に対して変倍処理が行われても、変倍処理後の画像が印刷可能範囲からはみださないような用紙が自動選択されるため、画像が一部欠落した印刷が行われるといった事態を抑制できるという効果を奏する。例えば、図１１に示すように、変倍処理を行った場合に画像が印刷可能範囲からはみださないような用紙サイズを示すメッセージ８１を表示し、当該メッセージ８１に表示されている用紙サイズの用紙を用いて印刷処理を行うようになっていてもよい。
【０１１３】
また、図１１に示すように、制御装置６０（第２用紙サイズ設定部）は、用紙サイズ指定ボタン８０を表示し、利用者からの指示入力に応じて用紙サイズを選択するようになっていてもよい。これにより、変倍処理が縮小処理であって印刷用紙サイズを小さくしても充分に画像が印刷可能範囲におさまるような場合、利用者からの指示入力に応じて印刷用紙サイズを小さくすることによって、用紙に対するコストを節約でき、無駄な資源消費を抑制できるという効果を奏する。
【０１１４】
また、図１２に示すように、変倍領域指定ボタン８４を表示させ、この変倍領域指定ボタン８４が押された場合、変倍処理を施す領域を指定できるようになっていてもよい。図１２に示す例では、プレビュー表示されている印刷用紙Ｐ上においてポイントＡ〜Ｄを利用者に指定させ、ポイントＡ〜Ｄを頂点とした矩形領域の内側が変倍処理の施される領域として設定されることになる。
【０１１５】
さらに、制御装置６０（単位変更部）は、図１３（ａ）に示すように単位設定ボタン８５を表示装置５９ａに表示させ、利用者が単位設定ボタン８５に触れると、出力時寸法の単位を切り替えるようになっていてもよい。具体的に、図１３（ａ）に示す状態で単位設定ボタン８５が押されると、表示装置５９ａの表示画面が図１３（ａ）の状態から図１３（ｂ）の状態に遷移して、出力時寸法の単位がミリメートルからインチに切り替わるようになっている。これに対し、図１３（ｂ）に示す状態で単位設定ボタン８５が押されると、表示装置５９ａの表示画面が図１３（ｂ）の状態から図１３（ａ）の状態に遷移して、出力時寸法の単位がインチからミリメートルに切り替わるようになっている。
【０１１６】
また、本実施形態に示した制御装置６０は、ハードウェアロジックによって構成してもよいし、次のようにＣＰＵを用いてソフトウェアによって実現してもよい。すなわち、制御装置６０は、制御装置６０の機能を実現するための制御プログラムの命令を実行するＣＰＵ（central processing unit）、上記制御プログラムを格納したＲＯＭ（read only memory）、上記制御プログラムを展開するＲＡＭ（random access memory）、上記制御プログラムおよび各種データを格納するメモリ等の記憶装置（記録媒体）などを備えている。
【０１１７】
また、本実施形態は、上述した機能を実現するソフトウェアである制御プログラムのプログラムコード（実行形式プログラム、中間コードプログラム、ソースプログラム）をコンピュータで読み取り可能に記録した記録媒体を複合機１００に供給し、制御装置６０が記録媒体に記録されているプログラムコードを読み出し実行することによっても、達成可能である。上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１１８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１９】
本発明は、画像データに対して変倍処理を実行することの可能な画像処理装置に利用することができる。
【符号の説明】
【０１２０】
５２    プリンタ（印刷装置）
５９    操作パネル
５９ａ  表示装置
５９ｂ  テンキー
６０    制御装置（画像処理装置）
１００    複合機（画像形成装置）
【図１】
2011171841.tif 000003
【図２】
2011171841.tif 000004
【図３】
2011171841.tif 000005
【図４】
2011171841.tif 000006
【図５（ａ）】
2011171841.tif 000007
【図５（ｂ）】
2011171841.tif 000008
【図６（ａ）】
2011171841.tif 000009
【図６（ｂ）】
2011171841.tif 000010
【図６（ｃ）】
2011171841.tif 000011
【図６（ｄ）】
2011171841.tif 000012
【図６（ｅ）】
2011171841.tif 000013
【図６（ｆ）】
2011171841.tif 000014
【図７（ａ）】
2011171841.tif 000015
【図７（ｂ）】
2011171841.tif 000016
【図７（ｃ）】
2011171841.tif 000017
【図７（ｄ）】
2011171841.tif 000018
【図７（ｅ）】
2011171841.tif 000019
【図７（ｆ）】
2011171841.tif 000020
【図８（ａ）】
2011171841.tif 000021
【図８（ｂ）】
2011171841.tif 000022
【図８（ｃ）】
2011171841.tif 000023
【図８（ｄ）】
2011171841.tif 000024
【図８（ｅ）】
2011171841.tif 000025
【図８（ｆ）】
2011171841.tif 000026
【図９（ａ）】
2011171841.tif 000027
【図９（ｂ）】
2011171841.tif 000028
【図９（ｃ）】
2011171841.tif 000029
【図９（ｄ）】
2011171841.tif 000030
【図９（ｅ）】
2011171841.tif 000031
【図９（ｆ）】
2011171841.tif 000032
【図９（ｇ）】
2011171841.tif 000033
【図１０】
2011171841.tif 000034
【図１１】
2011171841.tif 000035
【図１２】
2011171841.tif 000036
【図１３（ａ）】
2011171841.tif 000037
【図１３（ｂ）】
2011171841.tif 000038